(57)【特許請求の範囲】
【請求項１】
コンピューターで操作され、ディスプレイの表示によって実現する方式であり、下記のステップを含み、
データを選択するステップＳ１）は、前記コンピューターによって前記ディスプレイから所定データを選択し、前記所定データは文字、パターンまたは画像またはこれらの組み合わせであり、
立体視データの行数を設定するステップＳ２）は、ユーザーのニーズに応じて行数を設定し、前記行数は三つ以上であり、
立体視データを生成するステップＳ３）は、前記ステップＳ２）で設定した前記行数に基づいて、それと同じ行数が重ならず左右平行に配列するデータ書き込みエリアを前記ディスプレイに作成し、続いて前記コンピューターによって複数の前記データ書き込みエリアに前記所定データを上から順番に書き込み、それらを前記ディスプレイに表示し、
前記ステップＳ３）において、それぞれの前記データ書き込みエリアと別の前記データ書き込みエリアとは内容、前記内容の高さおよび幅が同じであり、複数の前記データ書き込みエリアの内容は整合して立体視データになり、
前記ステップＳ３）において、二つの隣り合う前記データ書き込みエリアの間の距離は別の二つの隣り合う前記データ書き込みエリアの間の距離と異なることを特徴とする、
ピント調節力のトレーニング用３次元画像を生成する方法。
【請求項２】
固定した補助指標を配置するステップＳ４）を含み、前記ステップＳ４）は、少なくとも二つの隣り合う前記データ書き込みエリアに補助指標を別々に配置し、前記ディスプレイにおいて、複数の前記補助指標の配置位置は固定され、複数の前記データ書き込みエリアの内容は上下にスクロールでき、複数の前記補助指標は複数の前記データ書き込みエリアの内容のスクロールとともに前記ディスプレイを移動することがないことを特徴とする請求項１に記載のピント調節力のトレーニング用３次元画像を生成する方法。
【請求項３】
内容補助指標を配置するステップＳ４）を含み、前記ステップＳ４）は、少なくとも二つの隣り合う前記データ書き込みエリアに内容補助指標を別々に配置し、前記ディスプレイにおいて、複数の前記データ書き込みエリアの内容は上下にスクロールでき、複数の前記内容補助指標は複数の前記データ書き込みエリアの内容のスクロールとともに前記ディスプレイを移動することを特徴とする請求項１に記載のピント調節力のトレーニング用３次元画像を生成する方法。
【請求項４】
それぞれの前記データ書き込みエリア内の前記内容補助指標の位置は別の前記データ書き込みエリア内の前記補助指標の位置と同じであることを特徴とする請求項３に記載のピント調節力のトレーニング用３次元画像を生成する方法。
【請求項５】
前記ステップＳ１）および前記ステップＳ２）の順番を入れ替えたことを特徴とする請求項１に記載のピント調節力のトレーニング用３次元画像を生成する方法。
【発明の詳細な説明】
【技術分野】
【０００１】
本発明は、立体視技術に関し、詳しくはピント調節力のトレーニング用３次元画像を生成する方法に関するものである。
【背景技術】
【０００２】
情報通信の発達に伴って携帯電話、タブレット、コンピューターなどが現代人の暮らしに密着するようになった。特に長時間ディスプレイを見続けなければならないエンジニア、デザイナー、文筆業などは目の負担増によってピント調節力が低下し、近眼または老眼を進行させる。この現象はいわば一種の文明病である。さらに若年の老眼化も進んでいるとの指摘もある。
【０００３】
老眼は加齢によって眼球の調節力が低下することが原因である。詳しく言えば、
人間の目が自然体で物を見る際、遠い所を見るよりも近い所を見るほうが調節力に頼って焦点を合わせる必要がある。ピント調節力は一般的に四十代から加齢によって水晶体および瞼の筋肉が老化するとともに調節機能が低下するため、近い物を見るときにピント合わせがうまくいかないこと、即ち老眼はこの辺りの年齢に生じる。老眼が進めば遠近調節に時間差があり、近距離で物を見る際に疲れ、目の痛みおよび腫れや眉骨の痛みなどがでやすくなる。そのため、自分自身でピント調節がうまくできなければ眼鏡で矯正することが一般的である。
【０００４】
これに対し、アメリカのＤｒ．Ｗｉｌｌｉａｍ  Ｈ．Ｂａｔｅｓ，Ｍ．Ｄ．は物を見る際、目の動きに対する移動（ｍｏｖｅｍｅｎｔ）、集中（Ｃｅｎｔｒａｌｉｚａｔｉｏｎ）およびリラックス（Ｒｅｌａｘａｔｉｏｎ）の三原則、即ち両眼を瞬きさせて視野の範囲を極めて小さくして両眼を同じ一点に注視させ、続いてゆっくり深呼吸しながら掌で目を遮ることを提示した。老眼の症状がでた人は上述した三原則によって疲労した目の筋肉および神経をリラックスさせることができる。
【０００５】
イギリスの医師Ｒａｙ  Ｇｏｔｔｌｉｅｂは人の目の収束または開散によって立体視データを生成する方法を提示した。その方法は図１６および図１７に示すように、内容が同じで平行または対称的に配列する二列以上の文字またはパターンによって目の筋肉および神経をトレーニングすることである。収束および開散による立体視方式は図１８に示した通りである。
【０００６】
上述した技術により目の筋肉のトレーニング方法が開示されているが、ユーザーのお気に入りの内容を基にしてトレーニング用画像を生成する方法は未だに掲示されなかった。
【０００７】
言い換えれば、上述した先行技術には具体的なトレーニング用画像生成方法が開示されていない。トレーニング用画像は並列する複数行の文字またはパターンなどからなる立体視トレーニング用画像である。従って、上述した先行技術に鑑み、本発明はユーザーに内容を選択させ、ユーザーの選択した内容を複数行に配列して立体視データをディスプレイに生成し、目をトレーニングする方法を提出する。
【発明の概要】
【発明が解決しようとする課題】
【０００８】
本発明は、ピント調節力のトレーニング用３次元画像を生成する方法を提供することを主な目的とする。
【課題を解決するための手段】
【０００９】
上述した課題を解決するため、ピント調節力のトレーニング用３次元画像を生成する方法はコンピューターで操作され、ディスプレイの表示によって実現する方式であり、下記のステップを含む。
データを選択するステップＳ１）は、コンピューターによってディスプレイから所定データを選択する。所定データは文字、パターンまたは画像またはこれらの組み合わせである。
立体視データの行数を設定するステップＳ２）は、ユーザーのニーズに応じて行数を設定する。行数は三つ以上である。
立体視データを生成するステップＳ３）は、ステップＳ２）で設定した行数に基づいて、それと同じ行数が重ならず平行に上下配列するデータ書き込みエリアをディスプレイに作成し、続いてコンピューターによって複数のデータ書き込みエリアに所定データを上から順番に書き込み、それらをディスプレイに表示する。それぞれのデータ書き込みエリアと別のデータ書き込みエリアとは内容、内容の高さおよび幅が同じである。複数のデータ書き込みエリアの内容は整合して立体視データになる。
【００１０】
上述した技術的特徴により、本発明はユーザーに内容を選択させ、ユーザーの選択した内容を複数行に配列して立体視データをディスプレイに生成することによって目をトレーニングすることができる。
【図面の簡単な説明】
【００１１】
【図１】本発明の第１実施形態を示すプロセスである。
【図２】本発明の第１実施形態の操作方式を示す模式図である。
【図３】本発明の第１実施形態の操作方式を示す別の模式図である。
【図４】本発明の第１実施形態における立体視データを示す模式図である。
【図５】本発明の第１実施形態における立体視データを示す別の模式図である。
【図６】本発明の第１実施形態における立体視データを示す別の模式図である。
【図７】本発明の第１実施形態における立体視データを示す別の模式図である。
【図８】本発明の第１実施形態における立体視データを示す別の模式図である。
【図９】本発明の第１実施形態における立体視データを示す別の模式図である。
【図１０】本発明の第１実施形態における立体視パターンデータを示す模式図である。
【図１１】本発明の第１実施形態における立体視画像データを示す模式図である。
【図１２】本発明の第２実施形態を示すプロセスである。
【図１３】本発明の第２実施形態における立体視データを示す模式図である。
【図１４】本発明の第３実施形態を示すプロセスである。
【図１５】本発明の第３実施形態における立体視データを示す模式図である。
【図１６】先行技術により開示された立体視データを示す模式図である。
【図１７】先行技術により開示された別の一つの立体視データを示す模式図である。
【図１８】先行技術により開示された収束方式および開散方式を示す模式図である。
【発明を実施するための形態】
【００１２】
以下、本発明によるピント調節力のトレーニング用３次元画像を生成する方法を図面に基づいて説明する。
【００１３】
（第１実施形態）
図１から図１１に示すように、本発明の第１実施形態によるピント調節力のトレーニング用３次元画像を生成する方法はコンピューター９１で操作され、ディスプレイ９２の表示によって実現する方式であり、下記のステップを含む。
【００１４】
ステップＳ１）はデータを選択する。詳しく言えば、コンピューター９１によってディスプレイ９２から所定データ９３を選択する。所定データ９３は文字、パターンまたは画像またはこれらの組み合わせである。所定データ９３を選択する際、マウスでカーソルを移動することによって閲覧中のウェブで文字記載範囲を指定すれば所定データ９３の選択が完了する。上述した操作がコンピューターによって行われることは一般的に認識されているため、図面を通して説明する必要はない。周知のタブレットや携帯電話などはコンピューターのようにプログラムを実行できる機能を有する。つまり、上述した操作はコンピューターに限らず、タブレットや携帯電話などによって行うこともできる。
【００１５】
ステップＳ２）は立体視データの行数を設定する。詳しく言えば、コンピューターまたはクラウドによってユーザーのニーズに応じて行数を設定する。行数は三つ以上である。本実施形態において、行数は四つである。詳しく言えば、行数は三つが最小限であるが、六つ以上であれば表示範囲が小さくなり、読み辛くなる。２４インチのディスプレイを使用する場合、行数は四つであれば好ましい。ステップＳ１）およびステップＳ２）の順番は上述に限らず、入れ替わってもよい。
【００１６】
ステップＳ３）は立体視データを生成する。詳しく言えば、図３に示すようにステップＳ２）で設定した行数に基づいて、それと同じ行数が重ならず平行に上下配列するデータ書き込みエリア１１をディスプレイ９２に作成する。続いてコンピューター９１によって複数のデータ書き込みエリア１１に所定データ９３を上から順番に書き込み、それらをディスプレイ９２に表示する。それぞれのデータ書き込みエリア１１と別のデータ書き込みエリア１１とは内容、内容の高さおよび幅が同じである。複数のデータ書き込みエリア１１の内容は整合して立体視データ１９になる。
【００１７】
図４に示すように、ステップＳ３）において、二つずつ隣り合うデータ書き込みエリア１１の間に距離Ｄを置くため、それぞれのデータ書き込みエリア１１の内容がはっきり読める。詳しく言えば、四つのデータ書き込みエリア１１の間に距離Ｄ１、距離Ｄ２および距離Ｄ３を左から順に置けば四つのデータ書き込みエリア１１を明晰に表示できる。図４に示すように、距離Ｄ２は距離Ｄ１および距離Ｄ３より小さいが、これに限らない。
図５および図６に示すように、距離Ｄ、即ち距離Ｄ１、Ｄ３およびＤ２は二つの隣り合うデータ書き込みエリア１１の間の距離と、別の二つの隣り合うデータ書き込みエリア１１の間の距離と、それらの間の距離とを表示する。図５に示すように、距離Ｄ２は距離Ｄ１および距離Ｄ３より大きい。図６に示すように、距離Ｄ３は距離Ｄ１および距離Ｄ２より小さい。図７に示すように、二つずつ隣り合うデータ書き込みエリア１１の間には距離を置かない。つまり、四つのデータ書き込みエリア１１は相互に繋がって配列されるため、それぞれのデータ書き込みエリア１１の内容を読む時に集中力が必要である。
図４から図７に示すように、それぞれのデータ書き込みエリア１１は文字列を万遍なく埋める方式であるが、これに限らない。図８に示すように、それぞれのデータ書き込みエリア１１は隙間を保って文字列を埋める方式である。図９に示すように、それぞれのデータ書き込みエリア１１は文字列を菱形に埋める方式である。図１０に示すように、それぞれのデータ書き込みエリア１１の内容はパターンである。図１１に示すように、それぞれのデータ書き込みエリア１１の内容は画像である。
【００１８】
上述したステップにより、本発明はコンピューター９１を通して内容をユーザーに選択させる、例えば閲覧中のウェブの内容から文字記載、パターン、画像またはそれらの組み合わせをユーザーに選択させ、ユーザーの選択した内容を複数行に配列して立体視データ１９をディスプレイ９２に生成することができる。続いてユーザーはディスプレイ９２に生成した立体視データ１９を見て目をトレーニングすることができる。
またソフトウェアをコンピューター処理する際、クラウドネットワークを介してクラウド内で処理を行うことが多いため、上述したステップはすべてコンピューターによって実行されるとは限らず、一部分がクラウドによって遠隔処理されてもよい。例えば、ステップＳ２）において行数をクラウドによって設定することができる。
【００１９】
（第２実施形態）
図１２および図１３は本発明の第２実施形態によるピント調節力のトレーニング用３次元画像を生成する方法を示す模式図である。第１実施形態との違いは下記のとおりである。
【００２０】
本発明の第２実施形態によるピント調節力のトレーニング用３次元画像を生成する方法はステップＳ１）からステップＳ３）が完了した後、ステップＳ４）を進める。ステップＳ４）は固定した補助指標を配置する。詳しく言えば、二つの隣り合うデータ書き込みエリア１１に補助指標２１を別々に配置する。ディスプレイ９２において複数の補助指標２１の配置位置は固定される。それぞれのデータ書き込みエリア１１内の補助指標２１の位置は別のデータ書き込みエリア１１内の補助指標２１の位置と同じである。
ユーザーはディスプレイ９２に複数のデータ書き込みエリア１１の内容を上下にスクロールできる。複数の補助指標２１は複数のデータ書き込みエリア１１のスクロールとともにディスプレイ９２を移動することがない。補助指標２１は画像、例えばバスケットボールのような画像（図１３参照）であってもよい。ユーザーが目の収束または開散運動をする際、複数の補助指標２１は視覚的標的となり、ピント調節を補助できる。
【００２１】
第２実施形態において、ディスプレイ９２に複数の補助指標２１を配置する位置は固定される。つまり、複数の補助指標はディスプレイ９２上の一部分の内容を遮蔽するため、内容を上下にスクロールし、複数の補助指標２１を避ければ閲覧を妨害することがない。補助指標２１は二つであるが、これに限らない。つまり、第２実施形態はすべてのデータ書き込みエリア１１に補助指標を配置することもできる。
【００２２】
第２実施形態のほかの技術特徴および達成した効果は第１実施形態と同じであるため、詳細な説明を省略する。
【００２３】
（第３実施形態）
図１４および図１５は本発明の第３実施形態によるピント調節力のトレーニング用３次元画像を生成する方法を示す模式図である。第１実施形態との違いは下記のとおりである。
【００２４】
本発明の第３実施形態によるピント調節力のトレーニング用３次元画像を生成する方法はステップＳ１からステップＳ３が完了した後、ステップＳ４）を進める。ステップＳ４）は内容補助指標を配置する。詳しく言えば、二つの隣り合うデータ書き込みエリア１１に内容補助指標２１を別々に加える。ユーザーはディスプレイ９２に複数のデータ書き込みエリア１１の内容を上下にスクロールできる。複数の内容補助指標３１は複数のデータ書き込みエリア１１のスクロールとともにディスプレイ９２を移動できる。内容補助指標３１は画像、例えば黒い三角形の画像（図１５参照）であってもよい。ユーザーが目の収束または開散運動をする際、複数の内容補助指標３１は視覚的標的となり、ピント調節を補助できる。
【００２５】
第３実施形態のほかの技術特徴および達成した効果は第１実施形態と同じであるため、詳細な説明を省略する。
【００２６】
複数の補助指標２１または複数の内容補助指標３１は第１実施形態、第２実施形態および第３実施形態により生成された立体視画像に配置されるか否かに拘わらず、ユーザーは上述した立体視画像をプリンター（図中未表示）で印刷し、紙の立体視画像を作成し、携帯の便をはかることができる。
【符号の説明】
【００２７】
１１  データ書き込みエリア
１９  立体視データ
２１  補助指標
３１  内容補助指標
９１  コンピューター
９２  ディスプレイ
９３  所定データ
Ｄ、Ｄ１、Ｄ２、Ｄ３  距離
【図１】
0006978108.tif 000002
【図２】
0006978108.tif 000003
【図３】
0006978108.tif 000004
【図４】
0006978108.tif 000005
【図５】
0006978108.tif 000006
【図６】
0006978108.tif 000007
【図７】
0006978108.tif 000008
【図８】
0006978108.tif 000009
【図９】
0006978108.tif 000010
【図１０】
0006978108.tif 000011
【図１１】
0006978108.tif 000012
【図１２】
0006978108.tif 000013
【図１３】
0006978108.tif 000014
【図１４】
0006978108.tif 000015
【図１５】
0006978108.tif 000016
【図１６】
0006978108.tif 000017
【図１７】
0006978108.tif 000018
【図１８】
0006978108.tif 000019